(57)【要約】【課題】走査線の数や走査方式などによって異なる複数種類の復号映像信号から自動的に水平同期信号を良好に分離することができる水平同期信号分離回路を提供すること。【解決手段】本発明では、復号映像信号から分離した内部水平同期信号のパルスの幅を計測するパルス幅計測手段と、同パルス幅計測手段で計測した前記パルスの幅が予め定めた基準範囲内の場合に前記パルスを水平同期信号として出力する水平同期信号出力手段と、前記内部水平同期信号の周波数を計測する周波数計測手段と、同周波数計測手段で計測した前記内部水平同期信号の周波数に基づいて前記復号映像信号の種類を判別する信号判別手段と、同信号判別手段で判別した前記復号映像信号の種類に応じて前記基準範囲を変更する範囲変更手段とを有することを特徴とする。【選択図】      図１
2004215004.tif 000002
【特許請求の範囲】
【請求項１】
復号映像信号から分離した内部水平同期信号のパルスの幅を計測するパルス幅計測手段と、
同パルス幅計測手段で計測した前記パルスの幅が予め定めた基準範囲内の場合に前記パルスを水平同期信号として出力する水平同期信号出力手段と、
前記内部水平同期信号の周波数を計測する周波数計測手段と、
同周波数計測手段で計測した前記内部水平同期信号の周波数に基づいて前記復号映像信号の種類を判別する信号判別手段と、
同信号判別手段で判別した前記復号映像信号の種類に応じて前記基準範囲を変更する範囲変更手段とを有することを特徴とする水平同期信号分離回路。
【請求項２】
前記範囲変更手段は、前記パルス幅計測手段で前記内部水平同期信号のパルスの幅を計測するために使用する基準信号の周波数を変更することによって前記基準範囲を変更することを特徴とする請求項１記載の水平同期信号分離回路。
【請求項３】
復号映像信号から分離した内部水平同期信号のパルスの幅を計測するパルス幅計測手段と、
同パルス幅計測手段で計測した前記パルスの幅が予め定めた基準範囲内の場合に前記パルスを水平同期信号として出力する水平同期信号出力手段と、
前記内部水平同期信号の周波数を計測する周波数計測手段と、
同周波数計測手段で計測した前記内部水平同期信号の周波数に基づいて前記復号映像信号の種類を判別する信号判別手段と、
同信号判別手段で判別した前記復号映像信号の種類に応じて前記基準範囲を変更する範囲変更手段とを有することを特徴とする水平同期信号分離装置。
【請求項４】
前記範囲変更手段は、前記パルス幅計測手段で前記内部水平同期信号のパルスの幅を計測するために使用する基準信号の周波数を変更することによって前記基準範囲を変更することを特徴とする請求項３記載の水平同期信号分離装置。
【発明の詳細な説明】
【０００１】
【発明の属する技術分野】
本発明は、水平同期信号分離回路及び水平同期信号分離装置に関するものである。
【０００２】
【従来の技術】
従来より、テレビジョン受像機やモニタ受像機などの受像機は、映像信号と同期信号とを含む復号映像信号から水平同期信号と垂直同期信号と映像信号とをそれぞれ分離し、水平同期信号に基づいて水平方向の同期をとるとともに、垂直同期信号に基づいて垂直方向の同期をとりながら、映像信号を再生している。
【０００３】
その際に、受像機は、水平同期信号分離回路を用いて復号映像信号から水平同期信号を分離していた。
【０００４】
かかる水平同期信号分離回路は、復号映像信号を所定レベル（たとえば、ペディスタルレベル。）でスライスすることによって、復号映像信号のうちの所定レベル以下の信号を抽出し、この信号を水平同期信号として出力していた（たとえば、特許文献１参照）。
【０００５】
このように、従来の水平同期信号分離回路では、復号映像信号のうちの所定レベル以下の信号を水平同期信号とみなして、復号映像信号に含まれる所定レベル以下の信号の全てを水平同期信号として出力していた。
【０００６】
【特許文献１】
特開平８−２７９９２６号公報（図９）
【０００７】
【発明が解決しようとする課題】
ところが、上記従来の水平同期信号分離回路にあっては、復号映像信号に含まれる所定レベル以下の信号の全てを水平同期信号として出力していたため、水平同期信号よりもパルス幅の狭い信号やパルス幅の広い信号も水平同期信号とみなして出力してしまい、水平同期信号を正確に生成することができない場合があった。
【０００８】
すなわち、近年においては、復号映像信号を用いてより多くの情報を伝送できるようにするために、水平同期信号とはパルス幅が異なる所定レベル以下のＩＤ信号やコピーガード信号などが復号映像信号に重畳される場合があり、この場合に上記従来の水平同期信号分離回路では、これらのＩＤ信号やコピーガード信号などの所定レベル以下の信号を同期信号として誤って出力していた。
【０００９】
また、復号映像信号の伝送経路途中で復号映像信号にパルス幅が非常に狭い所定レベル以下のノイズがのる場合もあり、この場合にも上記従来の水平同期信号分離回路では、所定レベル以下のノイズを同期信号として誤って出力していた。
【００１０】
さらに、復号映像信号には走査線の数や走査方式などによって多種類の信号が存在しており、その種類に応じて水平同期信号のパルス幅が異なっているため、復号映像信号の種類に応じた水平同期信号のパルス幅をデータとして予め準備しておき、そのデータに基づいて水平同期信号分離回路の外部から復号映像信号の種類に応じた制御をしなければならず、回路規模が増大するとともに、使い勝手が良好なものとはいえなかった。
【００１１】
【課題を解決するための手段】
そこで、請求項１に係る本発明では、復号映像信号から分離した内部水平同期信号のパルスの幅を計測するパルス幅計測手段と、同パルス幅計測手段で計測した前記パルスの幅が予め定めた基準範囲内の場合に前記パルスを水平同期信号として出力する水平同期信号出力手段と、前記内部水平同期信号の周波数を計測する周波数計測手段と、同周波数計測手段で計測した前記内部水平同期信号の周波数に基づいて前記復号映像信号の種類を判別する信号判別手段と、同信号判別手段で判別した前記復号映像信号の種類に応じて前記基準範囲を変更する範囲変更手段とを有することを特徴とする水平同期信号分離回路を提供する。
【００１２】
また、請求項２に係る本発明では、前記請求項１に係る本発明において、範囲変更手段は、前記パルス幅計測手段で前記内部水平同期信号のパルスの幅を計測するために使用する基準信号の周波数を変更することで前記基準範囲を変更することにした。
【００１３】
また、請求項３に係る本発明では、復号映像信号から分離した内部水平同期信号のパルスの幅を計測するパルス幅計測手段と、同パルス幅計測手段で計測した前記パルスの幅が予め定めた基準範囲内の場合に前記パルスを水平同期信号として出力する水平同期信号出力手段と、前記内部水平同期信号の周波数を計測する周波数計測手段と、同周波数計測手段で計測した前記内部水平同期信号の周波数に基づいて前記復号映像信号の種類を判別する信号判別手段と、同信号判別手段で判別した前記復号映像信号の種類に応じて前記基準範囲を変更する範囲変更手段とを有することを特徴とする水平同期信号分離装置を提供する。
【００１４】
また、請求項４に係る本発明では、前記請求項３に係る本発明において、範囲変更手段は、前記パルス幅計測手段で前記内部水平同期信号のパルスの幅を計測するために使用する基準信号の周波数を変更することで前記基準範囲を変更することにした。
【００１５】
【発明の実施の形態】
以下に、本発明の具体的な実施の形態について図面を参照しながら説明する。
【００１６】
本発明に係る水平同期信号分離装置１は、図１に示すように、復号映像信号Ｓ１から水平同期信号Ｓ５を分離するための水平同期信号分離回路２を内蔵している。
図中、９は復号映像信号Ｓ１の入力端子、１０は水平同期信号Ｓ５を出力するための水平同期信号出力端子、１１は内部垂直同期信号Ｓ３をそのまま垂直同期信号として出力するための垂直同期信号出力端子である。
【００１７】
かかる水平同期信号分離回路２の構成について説明すると、図１に示すように、水平同期信号分離回路２は、同期分離手段３にパルス幅計測手段４を接続し、同パルス幅計測手段４に水平同期信号出力手段５を接続している。
【００１８】
ここで、同期分離手段３は、入力端子９から入力された復号映像信号Ｓ１を内部水平同期信号Ｓ２と内部垂直同期信号Ｓ３とに分離するものである。なお、同期分離手段３によって分離された内部垂直同期信号Ｓ３は、そのまま垂直同期信号として垂直同期信号出力端子１１から出力される。
【００１９】
パルス幅計測手段４は、同期分離手段３から入力された内部水平同期信号Ｓ２に含まれる所定レベル（たとえば、ペディスタルレベル）以下のパルスの幅を所定周波数の基準信号Ｓ９を用いて計測し、そのパルスの幅が予め定めた基準範囲内か否かを示すマスク信号Ｓ４を生成するものである。このパルス幅計測手段４の具体的な構成については後述する。
【００２０】
水平同期信号出力手段５は、パルス幅計測手段４で計測した内部水平同期信号Ｓ２のパルスの幅が予め定めた基準範囲内の場合にそのパルスを水平同期信号Ｓ５として出力するものであり、パルス幅計測手段４から入力されたマスク信号Ｓ４を用いて同期分離手段３から入力された内部水平同期信号Ｓ２をマスキングすることによって水平同期信号Ｓ５を生成し、同水平同期信号Ｓ５を水平同期信号出力端子１０から出力している。この水平同期信号出力手段５の具体的な構成についても後述する。
【００２１】
また、水平同期信号分離回路２は、図１に示すように、同期分離手段３に周波数計測手段６を接続し、同周波数計測手段６に信号判別手段７を接続し、同信号判別手段７に範囲変更手段８を接続し、同範囲変更手段８をパルス幅計測手段４に接続している。
【００２２】
ここで、周波数計測手段６は、同期分離手段３から入力された内部水平同期信号Ｓ２の周波数を基準となる周波数（たとえば、４ＭＨｚ）の基準クロック信号Ｓ６を用いて計測することによって内部水平同期信号Ｓ２の周波数を示す周波数信号Ｓ７を生成するものである。なお、基準クロック信号Ｓ６は、水平同期信号分離装置１の内部で生成してもよく、また、外部から入力してもよい。
【００２３】
信号判別手段７は、周波数計測手段６から入力された周波数信号Ｓ７に基づいて復号映像信号Ｓ１の種類を判別することによって復号映像信号Ｓ１の種類を示す判別信号Ｓ８を生成するものである。
【００２４】
範囲変更手段８は、信号判別手段７から入力された判別信号Ｓ８に応じてパルス幅計測手段４で用いる基準範囲を変更するものであり、パルス幅計測手段４で内部水平同期信号Ｓ２のパルスの幅を計測するために使用する基準信号Ｓ９の周波数（たとえば、１ＭＨｚと２ＭＨｚ）を変更することで基準範囲を変更するようにしている。
【００２５】
水平同期信号分離回路２は、概ね上述した構成となっており、復号映像信号Ｓ１から分離した内部水平同期信号Ｓ２のパルスの幅が予め定めた基準範囲内の場合にそのパルスを水平同期信号Ｓ５として出力するものであり、これにより、水平同期信号Ｓ５よりもパルス幅の狭い信号やパルス幅の広い信号を誤って水平同期信号Ｓ５とみなしてしまうのを防止することができ、水平同期信号Ｓ５を正確に生成することができる。
【００２６】
しかも、水平同期信号分離回路２は、内部水平同期信号Ｓ２の周波数を計測する周波数計測手段６と、内部水平同期信号Ｓ２の周波数に基づいて復号映像信号Ｓ１の種類を判別する信号判別手段７と、復号映像信号Ｓ１の種類に応じて基準範囲を変更する範囲変更手段８とが設けられているために、復号映像信号Ｓ１の周波数からその復号映像信号Ｓ１の種類を判別して、復号映像信号Ｓ１の種類に応じて復号映像信号Ｓ１から水平同期信号Ｓ５を分離する処理を行うことができ、これにより、走査線の数（たとえば、５２５本又は６２５本など）や走査方式（たとえば、インターレース方式又はプログレッシブ方式など）などによって異なる複数種類の復号映像信号Ｓ１から自動的に水平同期信号Ｓ５を良好に分離することができる。
【００２７】
そのため、復号映像信号Ｓ１の種類に応じて規格されている水平同期信号Ｓ５のパルス幅をデータとして予め準備しておく必要がなくなり、しかも、そのようなデータに基づいて水平同期信号分離回路２の外部から復号映像信号Ｓ１の種類に応じた制御をする必要がなくなり、回路規模を縮小することができるとともに、使い勝手を良好なものにすることができる。
【００２８】
特に、内部水平同期信号Ｓ２のパルスの幅を計測するために使用する基準信号Ｓ９の周波数を変更することで基準範囲を変更するようにしているために、基準範囲を変更するための範囲変更手段８の構成を簡略化することができる。
【００２９】
以下に、水平同期信号分離回路２の具体的な動作について図１及び図２に基づいて説明する。
【００３０】
まず、入力端子９から同期分離手段３に入力された復号映像信号Ｓ１は、同期分離回路１２で内部水平同期信号Ｓ２と内部垂直同期信号Ｓ３とに分離される。これらの内部水平同期信号Ｓ２及び内部垂直同期信号Ｓ３は、インバータ回路１３，１４で反転された後に出力される。
【００３１】
そして、内部垂直同期信号Ｓ３は、垂直同期信号出力端子１１から出力され、一方、内部水平同期信号Ｓ２は、パルス幅計測手段４と水平同期信号出力手段５とに入力される。
【００３２】
パルス幅計測手段４に入力された内部水平同期信号Ｓ２は、３入力アンド回路１５と後縁検出回路１８とに入力される。後縁検出回路１８では、内部水平同期信号Ｓ２の後縁が検出され、内部水平同期信号Ｓ２の後縁で所定期間だけＨｉｇｈとなる後縁信号Ｓ１１が出力される。
【００３３】
３入力アンド回路１５では、内部水平同期信号Ｓ２と基準信号Ｓ９と上限信号Ｓ１７とを論理乗算した後に、内部クロック信号Ｓ１０を同期判別回路１６に出力する。
【００３４】
同期判別回路１６は、内部クロック信号Ｓ１０をカウントし、そのカウント値が所定上限値（たとえば、７）以上の場合にはＬｏｗとなる上限信号Ｓ１７を出力して、内部クロック信号Ｓ１０が入力されないようにし、また、カウント値が所定範囲内（たとえば、４以上７以下）の場合にはＨｉｇｈとなる判別信号Ｓ１５を出力して、カウント値が所定範囲内となる場合だけを水平同期信号Ｓ５とみなすようにしている。
【００３５】
かかる判別信号Ｓ１５は、アンド回路２２に入力される。このアンド回路２２には、判別信号Ｓ１５のほかに、判別信号Ｓ１５と後縁信号Ｓ１１とをアンド回路２４で論理乗算した後に波形整形回路１９で波形整形された整形信号Ｓ１４が入力される。そして、これらの判別信号Ｓ１５と整形信号Ｓ１４とをアンド回路２２で論理乗算した後にインバータ回路２５で反転することによってマスク信号Ｓ４を生成する。
【００３６】
また、判別信号Ｓ１５は、インバータ回路２３で反転された後に、アンド回路２１に入力され、アンド回路２１で後縁信号Ｓ１１と論理加算された後に、オア回路２０に入力される。
【００３７】
オア回路２０には、リセットタイミング生成回路１７で基準信号Ｓ９と後縁信号Ｓ１１とに基づいて生成したタイミング信号Ｓ１２も入力され、論理加算した後にリセット信号Ｓ１３を同期判別回路１６に出力する。なお、タイミング信号Ｓ１２は波形整形回路１９へも出力される。
【００３８】
そして、上記構成のパルス幅計測手段４にて生成されたマスク信号Ｓ４は、水平同期信号出力手段５に入力される。
【００３９】
かかる水平同期信号出力手段５では、マスク信号Ｓ４とともに内部水平同期信号Ｓ２が入力され、これらのマスク信号Ｓ４と内部水平同期信号Ｓ２とをアンド回路２６で論理乗算することによって、内部水平同期信号Ｓ２をマスク信号Ｓ４でマスキングして、水平同期信号Ｓ５を水平同期信号出力端子１０へ出力する。
【００４０】
一方、周波数計測手段６に入力された内部水平同期信号Ｓ２は、周波数計測手段６にて基準クロック信号Ｓ６を用いて周波数がカウントされ、周波数計測手段６にて周波数信号Ｓ７が生成される。
【００４１】
たとえば、図５に示すように、復号映像信号Ｓ１の信号規格が５２５ｉ（走査線数：５２５本、走査方式：インターレース方式）の場合には、水平周波数が１５７３４Ｈｚであることから、カウント数が７８又は７９となり、そのカウント数を２進数で示した信号が周波数信号Ｓ７として出力される。同様に６２５ｉ（走査線数：６２５本、走査方式：インターレース方式）の場合には、水平周波数が１５６２４Ｈｚであることから、カウント数が７８又は７９となり、そのカウント数を２進数で示した信号が周波数信号Ｓ７として出力され、５２５ｐ（走査線数：５２５本、走査方式：プログレッシブ方式）の場合には、水平周波数が３１５００Ｈｚであることから、カウント数が１５７又は１５８となり、そのカウント数を２進数で示した信号が周波数信号Ｓ７として出力され、６２５ｐ（走査線数：６２５本、走査方式：プログレッシブ方式）の場合には、水平周波数が３１２５０Ｈｚであることから、カウント数が１５７又は１５８となり、そのカウント数を２進数で示した信号が周波数信号Ｓ７として出力される。
【００４２】
そして、信号判別手段７では、２進数で示した周波数信号Ｓ７の下位から７ビット目と８ビット目とを用いて復号映像信号Ｓ１の種類を判別し、判別信号Ｓ８を範囲変更手段８へ出力する。
【００４３】
かかる範囲変更手段８では、判別信号Ｓ８に基づいてスイッチ２７を切替えることによって基準信号Ｓ９の周波数を切替えている。
【００４４】
このようにして基準信号Ｓ９の周波数を変更することによって、内部クロック信号Ｓ１０の周波数が変更されることになり、同期判別回路１６で内部クロック信号Ｓ１０をカウントした場合に、カウント数としては同じであっても、基準となる内部クロック信号Ｓ１０の周波数が異なることから、パルスの幅としては異なることになり、これにより、パルスの幅について予め定めた所定範囲が変更されることになる。
【００４５】
以上に説明した水平同期信号分離回路２の動作をタイミングチャートにまとめると図３及び図４に示すようになる。
【００４６】
図３は、内部水平同期信号Ｓ２にＩＤ信号が含まれている部分を示したものであり、図３からわかるように、水平同期信号分離回路２は、ＩＤ信号のパルスの幅が正規の水平同期信号Ｓ５よりも狭いことから、このＩＤ信号を水平同期信号Ｓ５とはみなさずに、ＩＤ信号を除去した正常な水平同期信号Ｓ５を出力している。
【００４７】
また、図４は、内部水平同期信号Ｓ２に垂直同期信号及び切込みパルスが重畳されている部分を示したものであり、図４からわかるように、水平同期信号分離回路２は、正規の水平同期信号Ｓ５よりも広い垂直同期信号のパルスが内部水平同期信号Ｓ２に重畳されていても正常な水平同期信号Ｓ５を出力している。
【００４８】
以上に説明したようにして、水平同期信号分離回路２では、複数種類の復号映像信号Ｓ１から水平同期信号Ｓ５を良好に分離している。
【００４９】
【発明の効果】
本発明は、以上に説明したような形態で実施され、以下に記載されるような効果を奏する。
【００５０】
すなわち、本発明では、復号映像信号から分離した内部水平同期信号のパルスの幅が予め定めた基準範囲内の場合に前記パルスを水平同期信号として出力する水平同期信号分離回路であって、内部水平同期信号の周波数を計測する周波数計測手段と、内部水平同期信号の周波数に基づいて復号映像信号の種類を判別する信号判別手段と、復号映像信号の種類に応じて基準範囲を変更する範囲変更手段とを設けたことにより、走査線の数や走査方式などによって異なる複数種類の復号映像信号から自動的に水平同期信号を良好に分離することができる。
【００５１】
これにより、復号映像信号の種類に応じた水平同期信号のパルス幅をデータとして予め準備しておく必要がなくなり、しかも、そのようなデータに基づいて水平同期信号分離回路の外部から復号映像信号の種類に応じた制御をする必要がなくなるため、回路規模を縮小することができるとともに、使い勝手を良好なものにすることができる。
【００５２】
また、内部水平同期信号のパルスの幅を計測するために使用する基準信号の周波数を変更することで基準範囲を変更するようにしているため、基準範囲を変更するための範囲変更手段の構成を簡略化することができる。
【図面の簡単な説明】
【図１】本発明に係る水平同期信号分離装置を示す説明図。
【図２】水平同期信号分離回路を示す説明図。
【図３】水平同期信号分離回路のタイミングチャート（ＩＤ信号重畳部分）。
【図４】水平同期信号分離回路のタイミングチャート（垂直同期信号重畳部分）。
【図５】信号規格ごとの水平周波数やカウント数を示す説明図。
【符号の説明】
１  水平同期信号分離装置
２  水平同期信号分離回路
３  同期分離手段
４  パルス幅計測手段
５  水平同期信号出力手段
６  周波数計測手段
７  信号判別手段
８  範囲変更手段
Ｓ１  復号映像信号
Ｓ２  内部水平同期信号
Ｓ３  内部垂直同期信号
Ｓ４  マスク信号
Ｓ５  水平同期信号
Ｓ６  基準クロック信号
Ｓ７  周波数信号
Ｓ８  判別信号
Ｓ９  基準信号
【図１】
2004215004.tif 000003
【図２】
2004215004.tif 000004
【図３】
2004215004.tif 000005
【図４】
2004215004.tif 000006
【図５】
2004215004.tif 000007